(57)【要約】      （修正有）【課題】装置の大きさを大きくすることなく、また薄い記録媒体でも紙詰まりが起こりにくい紙詰まり検出装置、画像形成装置を提供する。【解決手段】媒体２の媒体搬送路７に配置される第１の搬送ガイド５と、媒体搬送路を挟み第１の搬送ガイドと対向して配置される第２の搬送ガイド６と、媒体を搬送する媒体搬送部と、第２の搬送ガイドに、媒体搬送方向に対して垂直方向に設けられる凹部１５と、凹部の内部に設けられ、凹部に入り込んだ媒体を検知するセンサ１６と、凹部内と媒体搬送路内とを進出退避する可動片１８と、備える紙詰まり検出装置および画像形成装置とした。【選択図】図１
2014024637.tif 000002
【特許請求の範囲】
【請求項１】
媒体の媒体搬送路に配置される第１の搬送ガイドと、
前記媒体搬送路を挟み第１の搬送ガイドと対向して配置される第２の搬送ガイドと、
前記媒体を搬送する媒体搬送部と、
前記第２の搬送ガイドに、媒体搬送方向に対して垂直方向に設けられる凹部と、
前記凹部の内部に設けられ、前記凹部に入り込んだ前記媒体を検知するセンサと、
前記凹部内に進入する方向に付勢され、前記凹部内にその底面からスリットを介して内部に進入しまたは退避可能に設けられた可動片と、
を備える紙詰まり検出装置。
【請求項２】
前記媒体はロール状に巻かれたロール部を備え、
前記第１の搬送ガイドは、前記媒体のカールの谷側の媒体搬送路に配置され、
前記第２の搬送ガイドは、前記媒体のカールの山側の媒体搬送路に配置される請求項１に記載の紙詰まり検出装置。
【請求項３】
前記媒体は媒体幅が異なる複数種の媒体であり、前記可動片は、前記媒体搬送路に直行する方向において、複数種の媒体における最小幅の媒体の幅方向端部より前記最小幅媒体の中心側に設ける請求項１に記載の紙詰まり検出装置。
【請求項４】
前記第１の搬送ガイドおよび第２の搬送ガイドは媒体を搬送する搬送面を有し、前記可動片はその上面が前記凹部に進出した状態においては、前記第２の搬送ガイドの搬送面と同一となり、前記凹部内に先端が搬送された前記媒体を排出口方向に案内するように設けられており、前記凹部内に前記媒体の先端部より手前の部分が入り込んだ場合、前記凹部内から退避するように付勢されている請求項１に記載の紙詰まり検出装置。
【請求項５】
前記可動片は、前記凹部の上流の前記搬送路下部に設けた回転軸に回動可能に設けられている請求項１に記載の紙詰まり検出装置。
【請求項６】
前記可動片は先端部幅より回動中心側の幅が長い請求項１に記載の紙詰まり検出装置。
【請求項７】
前記センサは反射型センサである請求項１に記載の紙詰まり検出装置。
【請求項８】
前記センサは、
検知可能領域端部を前記第２の搬送ガイドの媒体搬送面より前記センサ側に有する請求項１に記載の紙詰まり検出装置。
【請求項９】
媒体の媒体搬送路に配置される第１の搬送ガイドと、
前記媒体搬送路を挟み第１の搬送ガイドと対向して配置される第２の搬送ガイドと、
前記媒体を搬送する媒体搬送部と、
前記媒体に画像形成する画像形成部と、
前記媒体を裁断するカッタと、
前記第２の搬送ガイドに、媒体搬送方向に対して垂直方向に設けられる凹部と、
前記凹部の内部に設けられ、前記凹部に入り込んだ前記媒体を検知するセンサと、
前記凹部内に進入する方向に付勢され、前記凹部内にその底面からスリットを介して内部に進入しまたは退避可能に設けられた可動片と、
を備える画像形成装置。
【請求項１０】
前記媒体はロール状に巻かれたロール部を備え、
前記第１の搬送ガイドは、前記媒体のカールの谷側の媒体搬送路に配置され、
前記第２の搬送ガイドは、前記媒体のカールの山側の媒体搬送路に配置される請求項９に記載の画像形成装置。
【請求項１１】
前記画像形成装置は、前記凹部に入り込んだ前記媒体を検知するセンサからの信号を計時するタイマと、前記凹部に入り込んだ前記媒体を検知するセンサからの信号を受けると表示部に対して表示を指示する制御部をさらに有し、予め定めた時間内に前記信号が途切れた際前記表示部の表示内容を変更する請求項９に記載の画像形成装置。
【請求項１２】
前記媒体は媒体幅が異なる複数種の媒体であり、前記可動片は、前記媒体搬送路に直行する方向において、複数種の媒体における最小幅の媒体の幅方向端部より前記最小幅媒体の中心側の設ける請求項９に記載の画像形成装置。
【請求項１３】
前記第１の搬送ガイドおよび第２の搬送ガイドは媒体を搬送する搬送面を有し、前記可動片はその上面が前記凹部に進出した状態においては、前記第２の搬送ガイドの搬送面と同一となり、前記凹部内に先端が搬送された前記媒体を排出口方向に案内するように設けられており、前記凹部内に前記媒体の先端部より手前の部分が入り込んだ場合、前記凹部内から退避するように付勢されている請求項９に記載の画像形成装置。
【請求項１４】
前記可動片は、前記凹部の上流の前記搬送路下部に設けた回転軸に回動可能に設けられている請求項９に記載の画像形成装置。
【請求項１５】
前記可動片は先端部幅より回動中心側の幅が長い請求項９に記載の画像形成装置。
【請求項１６】
前記センサは反射型センサである請求項９に記載の画像形成装置。
【請求項１７】
前記センサは、
検知可能領域端部を前記第２の搬送ガイドの媒体搬送面より前記センサ側に有する請求項１６に記載の画像形成装置。
【発明の詳細な説明】
【技術分野】
【０００１】
本発明の実施形態は、紙詰まり検出装置およびこれを用いた画像形成装置に関する。
【背景技術】
【０００２】
紙などの媒体を搬送する搬送装置は、搬送途中において紙詰まりが発生する場合がある。紙詰まりが発生すると搬送装置を含む装置が正常に動作しなくなる。例えば、プリンタなどの画像形成装置は、紙詰まりが発生した場合迅速に紙詰まりを検知し、修理担当者に通報する必要がある。
【０００３】
銀行等の自動預払機に設置されるプリンタにおいては、顧客が記録媒体排出口を手でふさぐことにより記録媒体が搬送路に詰まり、紙詰まりが発生することがある。
【０００４】
従来、プリンタに使用される記録媒体はその厚さが十分であったため、記録媒体搬送路が狭くなっている部分に記録媒体が折れ曲がって詰まらないように、記録媒体の搬送力を低く抑えていた。しかしながら近年では、環境対策等の目的から、プリンタに使用する記録媒体の厚さが薄くなりつつある。このため記録媒体の搬送力を低く抑えても記録媒体搬送路が狭くなっている部分に用紙が折れ曲がって詰まりやすくなっている。
【０００５】
この点に関し、記録媒体排出口から記録媒体が排出されない場合、搬送される記録媒体を収容する用紙受容手段を設け、この用紙受容手段に記録媒体によって遮光される透過型センサを設け、この透過型センサの出力に基づいて紙詰まりを判定する技術が提案されている。
【先行技術文献】
【特許文献】
【０００６】
【特許文献１】特開平１１−２１００１号公報
【発明の概要】
【発明が解決しようとする課題】
【０００７】
しかし、この技術によると用紙受容手段を設ける分だけ装置が大きくなり、製造コストが高くなる。
【０００８】
また対向する媒体搬送ガイドの一部に記録媒体搬送方向に対して垂直方向に設けられる凹部を有しこの凹部に入り込んだ記録媒体を検知するセンサを設けることも考えられている。この場合受容部は設けられていないため装置が大きくなることは避けられるものの、薄い記録媒体の先端が前記凹部に用紙が折れ曲がって詰まる可能性は残されている。
【０００９】
従って、装置の大きさを大きくすることなく、また薄い記録媒体でも紙詰まりが起こりにくい紙詰まり検出装置、画像形成装置が求められている。
【課題を解決するための手段】
【００１０】
本発明の一実施形態は、記録媒体の記録媒体搬送路に配置される第１の搬送ガイドと、記録媒体搬送路を挟み第１の搬送ガイドと対向して配置される第２の搬送ガイドと、記録媒体を搬送する記録媒体搬送部と、記録媒体に画像形成する画像形成部と、第１の記録搬送ガイドに、記録媒体搬送方向に対して垂直方向に設けられる凹部と凹部の内部に設けられ、凹部に入り込んだ記録媒体を検知するセンサと、前記凹部内と媒体搬送路内とを進出退避する可動片と、備える画像形成装置を提供する。
【図面の簡単な説明】
【００１１】
【図１】ジャム検出装置を含む画像形成装置の側面図である。
【図２】画像形成装置の構成を含むブロック図である。
【図３】ジャム検出装置の要部構成図である。
【図４】ジャム検出装置の要部の下方斜視図である。
【図５】第２の搬送ガイドの凹部付近の斜視図である。
【図６】第２の搬送ガイドの凹部付近の側面図である。
【図７】ジャム検出装置におけるカールした記録媒体と可動片を示した図である。
【図８】ジャム検出装置における排出口をふさいだ状態を示した図である。
【図９】ジャム検出装置における排出口をふさいだ状態でその後も記録媒体が搬送された図である。
【図１０】ジャム検出装置における排出口の障害物が除去された場合の図である。
【図１１】第２の搬送ガイドと可動片との位置を示した図である。
【図１２】複数の媒体と可動片の位置を示した上面である。
【発明を実施するための形態】
【００１２】
以下に、本発明の一実施形態に係る画像形成装置を、図面を参照して詳細に説明する。
【００１３】
（第１の実施形態）
図１は、本実施の形態に係る紙詰まり検出装置を含む画像形成装置１の側面図である。なお、この画像形成装置１では、図の左側から右側に向けて記録媒体２が搬送されるので、以下の説明においては、図中左側を上流側、右側を下流側とする。図中符号２は巻軸３に巻回されたロール紙であり、巻軸３は画像形成装置１に回転自在に支持されている。記録媒体２の下流側にはアイドラローラ４が回転自在に支持されている。
【００１４】
また画像形成装置には記録媒体２の搬送ガイドである第１の搬送ガイド５が、また第１の搬送ガイド５と用紙搬送路７を挟んで第２の搬送ガイド６が設けられている。
【００１５】
また前記用紙搬送路７には図示しないモータによって回転可能とされたプラテンローラ９と、このプラテンローラ９に対して用紙搬送路７を挟んで対向配置されたサーマル印字ヘッド８とが配置されており、これらプラテンローラ９とサーマル印字ヘッド８とで印字機構１９を構成している。サーマル印字ヘッド８は、記録媒体２が用紙搬送路７上を下流側に向け搬送される際、記録媒体２の搬送に合わせて１行づつ印字をするようになっている。またサーマル印字ヘッド８はプラテンローラ９に押圧され、サーマル印字ヘッド８とプラテンローラ９との摩擦によって記録媒体２を下流側に送るようになっている。すなわちサーマルヘッド８とプラテンローラ９は、画像形成部を構成していると共に記録媒体搬送部をも構成している。
【００１６】
印字機構１９の印字の搬送方向下流にはカッタ１０が配置されている。画像形成装置１はこのカッタ１０に設けられているスリット（図示せず）に挿入されてきた記録媒体２を切断する。
【００１７】
カッタ１０にて切断された記録媒体２は、用紙搬送路７の最下流側に設けられている排出口１３から画像形成装置１の外に排出される。
【００１８】
また前記用紙搬送路７には図示しないモータによって回転可能とされた搬送ローラ１１と、この搬送ローラ１１に対して用紙搬送路７を挟んで対向配置されたアイドラローラ１２とが配置されており、これら搬送ローラ１１とアイドラローラ１２の挟持により記録媒体２を下流側に送るようになっている。すなわち搬送ローラ１１とアイドラローラ１２は、記録媒体搬送部を構成している。なおこれら搬送ローラ１１とアイドラローラ１２は用紙搬送路７上に１対であっても複数対設けられても問題ない。
【００１９】
また第２の搬送ガイド６には、記録媒体２の搬送方向に対して垂直方向に凹部１５が排出口１３の近傍に設けられ、また前記凹部１５内部には反射型センサ１６が設けられている。
【００２０】
また搬送ローラ１１とアイドラローラ１２の対の内、記録媒体２の搬送方向最下流側に設けられている搬送ローラ１１とアイドラローラ１２の対における搬送ローラ１１のシャフト１７を回動中心として可動片１８が設けられている。なおここで搬送ローラ１１とアイドラローラ１２の対における記録媒体２の搬送方向最下流側の搬送ローラ１１のシャフト１７を回動中心としたが、必ずしも最下流側ではなく前記凹部１５の近傍であればよい。また搬送ローラ１１のシャフト１７を回動中心としたがアイドラローラ１２のシャフト（図示せず）を回動中心としても良い。
【００２１】
図２に上述した画像形成装置１の制御部５０を示している。この制御部５０は、用紙搬送、印刷、用紙切断、紙詰まり検知、表示の各制御を行う手段を有している。
【００２２】
ホストコンピュータ６１より印字すべきデータが画像形成装置１に送られてくると、画像形成装置１内の制御部５０がホストコンピュータ６１との連係および各種の制御の実行を行い、例えば、マイクロコンピュータで構成されている。制御部５０の中央処理装置（ＭＰＵ）５１は、プログラムに従って用紙搬送制御、印刷制御、用紙切断制御、紙詰まり検知、表示等の各種の制御や演算を行なう。またこのＭＰＵ５１は、時間設定および時間制御を行なう手段としてタイマ５２を備えている。
【００２３】
このＭＰＵ５１で実行する制御プログラムや制御または演算途上のデータ等を格納する主記憶手段としてＲＯＭ５３およびＲＡＭ５４が設置されている。ＲＯＭ５３は制御プログラムやテーブル等を持つ読出し専用メモリであり、ＲＡＭ５４は演算途上のデータ等を格納する随時書込みメモリである。
【００２４】
また、この制御部５０には、ホストコンピュータ６１からの各種の入力データの取込みや、ホストコンピュータ６１への制御部５０の制御出力の取出しを行なう入出力ユニット（Ｉ／Ｏ）５５が設けられている。このＩ／Ｏ５５は、ＭＰＵ５１、ＲＯＭ５３およびＲＡＭ５４とをバスを通じて連係されている。
【００２５】
また、このＩ／Ｏ５５には制御出力を取り出すための手段として、第１、第２、第３、第４および第５のドライバ５６、５７、５８、５９、６０が接続されている。ドライバ５６は印字機構１９へ必要な駆動出力を供給する。ドライバ５７は搬送ローラ１１への必要な駆動出力を供給する。ドライバ５８はカッタ１０への必要な駆動出力を供給する。ドライバ５９はセンサ１６に対して必要な駆動出力を供給する。ドライバ６０は表示部２０に各種表示を行わせる表示駆動出力を供給する。
【００２６】
印字機構１９は、図１にて説明したサーマル印字ヘッド８およびプラテンローラ９を備えている。このプラテンローラ９は、ＭＰＵ５１の印字指令手段としての制御出力に基づき、図示しないモータにより印字動作と同期して回転駆動される。サーマル印字ヘッド８は、ホストコンピュータ６１からの印字データに基づいて、記録媒体２に印字を行なう。
【００２７】
また、制御部５０のＭＰＵ５１はドライバ５７を介して搬送ローラ２３の回転および停止駆動をおこなう。
【００２８】
また、制御部５０のＭＰＵ５１はドライバ５８を介してカッタ１０を駆動させ記録媒体２を切断する。
【００２９】
また、制御部５０のＭＰＵ５１はドライバ５９を介してセンサ１６を駆動させ記録媒体２の有無の検知をおこなう。
【００３０】
また、制御部５０のＭＰＵ５１はドライバ６０を介して表示部２０に画像形成装置１の各種状態、エラー内容等を表示する。
【００３１】
以下図１および図3乃至図１０を用いて画像形成装置１の動作を説明する。
【００３２】
巻軸３に巻回された記録媒体２はアイドラローラ１２に掛け渡されたのち第１の搬送ガイド５と第２の搬送ガイド６との間の用紙搬送路７を下流側に向け搬送される。なお搬送にあたってはアイドラローラ１２とこのアイドラローラ１２に対して用紙搬送路７を挟んで対向配置されている搬送ローラ１１との協同にて搬送をおこなっている。
【００３３】
画像形成装置１の用紙搬送路７にはサーマル印字ヘッド８が設けられており、ホストコンピュータ６１より送られてきた印字データを記録媒体２の感熱層が設けられている印字面１４に対して印字を行う。またサーマル印字ヘッド８に対して用紙搬送路７を挟んでプラテンローラ９が対向配置されており、このサーマル印字ヘッド８とプラテンローラ９の摩擦でも記録媒体２の搬送をおこなっている。
【００３４】
サーマル印字ヘッド８の搬送方向下流側にはカッタ１０が設けられており、印字された記録媒体２はカッタ１０に設けられている図示しないスリット内に挿入され、その後引き続き搬送方向下流側に搬送される。
【００３５】
その後記録媒体２は引き続き搬送方向下流側に搬送され、やがて記録媒体２の先端部は第２の搬送ガイド６に設けられている凹部１５に到達する。
【００３６】
第２の搬送ガイド６に設けられている凹部１５には図３に示す様に、この凹部１５に入り込んだ記録媒体２を検知するセンサ１６と、この凹部１５内と用紙搬送路７内とを進出退避する可動片１８が設けられており、この可動片１８は搬送ローラ１１とアイドラローラ１２の対の内、記録媒体２の搬送方向最下流側に設けられている搬送ローラ１１とアイドラローラ１２の対における搬送ローラ１１のシャフト１７を回動中心として設けられている。
【００３７】
なお、前記の回動中心は前記凹部１５に対して媒体搬送方向上流側に設けるのが記録媒体２が当接した際に搬送負荷となりにくく望ましい。
【００３８】
図５および図６を用いて凹部１５に設けられたセンサ１６について詳細に説明する。センサ１６は発光素子１６ａと受光素子１６ｂとで構成されており、発光素子１６ａは凹部１５に入りこんだ記録媒体２に向けて発光し、受光素子１６ｂは凹部１５に入りこんだ記録媒体２にて反射された光を受光する。また凹部１５の深さＤ１はセンサ２２の反射光検知可能長より深く設定されている。この設定により第２の搬送ガイド６における凹部１５を除く搬送面の延長面Ｘ（図３参照）の上方（図３における上方）を通過している記録媒体２をセンサ１６が検知をすることはない。
【００３９】
可動片１８は図４に示す様に回動中心は前記Ｘ面の下方に設けられており、可動片１８は凹部１５に設けられているスリット２４を貫通して下方から凹部１５へと設けられている。また可動片１８にはレバースプリング２２の一端側が取り付けられており、またレバースプリング２２の他端側は画像形成装置１のフレーム（図示せず）に固定されているスプリングシャフト２３に取り付けられている。図３に示す様にレバースプリング２２は可動片１８に対してシャフト１７を回動中心としてＹ方向（図１参照）に回転力を付与している。この際スリット２４の搬送方向上流側部と可動片１８とが当接することで可動片１８の先端位置を規制しているが、この際可動片１８の先端部２１は前記延長面Ｘと略同一高さとなるように設定されている。
【００４０】
また図１１に示す様に、第２の搬送ガイド６の搬送面Ｘと可動片１８の上面Ｆが略同一の高さとなるように設定しても搬送時における搬送に悪影響を与えることはない。
【００４１】
図１に示した巻方向の記録媒体２が凹部１５に搬送されてきた場合の状態を図６に示す。図７に示すようなカールを有した記録媒体２が搬送されてくるが、記録媒体２の先端は凹部１５に対して進出している可動片１８にて凹部１５に入ることなくそのまま下流側に搬送され、その後カッタ１０にて必要な長さに切断されて排出口１３から画像形成装置１の外部に排出される。なおこの際レバースプリング２２は、記録媒体２と可動片１８における搬送時の摩擦力ではその可動片１８がＺ方向（図１参照）に回動しない強さに設定されている（Ａ条件）。
【００４２】
また図１１に示す様に、可動片１８における回動中心側の幅Ｈと先端側幅Ｉとを比較した場合、Ｈ＞Ｉとするのが望ましい。これによりＨ＜Ｉ等に比べ弱いスプリングにて回動が可能となる。
【００４３】
図８に、人の手などの障害物２５にて排出口１３が塞がれ、記録媒体２の搬送が妨げられた状態を示す。この状態は紙詰まりの初期の状態である。この様に人の手等の障害物２５で排出口１３がふさがれた場合でもまだセンサ１６は記録媒体２を検知しない。このため記録媒体搬送部は引き続き搬送方向下流側に記録媒体２を搬送する。この際レバースプリング２２の強さは、排出口１３をふさいだ状態において記録媒体２を搬送ローラ１１とアイドラローラ１２との協同による記録媒体２の搬送もしくはサーマル印字ヘッド８とプラテンローラ９の協同による記録媒体２の搬送にて記録媒体２が凹部１５の形状に沿うのを妨げないように可動片１８が凹部１５から退避する強さとなっている（Ｂ条件）。すなわちレバースプリング２２はＡ条件、Ｂ条件のいずれも満足する設定となっている。
【００４４】
このため図９のように記録媒体２は凹部１５の形状に沿う様になるが、その過程においてセンサ１６は記録媒体２を検知し紙詰まりが発生したとの信号を制御部５０に出力する。この紙詰まりの信号を認識すると制御部５０はドライバ５６、ドライバ５７を経由して記録媒体搬送部の駆動を停止するとともにドライバ６０を介して表示部２０に紙詰まりであることを明示する。
【００４５】
ここでセンサ１６が紙詰まりの信号を出力するとＭＰＵ５１に設けられているタイマ５２がスタートする。記録媒体２の紙詰まりにおいて、排出口１３をふさいでいる人の手等の障害物２５を外すことで図１０のように可動片１８がＹ方向に回動して記録媒体２の先端が排出口１３より画像形成装置１の外部に押し出す場合がある。記録媒体２の先端が排出口１３より画像形成装置１の外部に押し出した場合センサ１６は紙詰まりしているとの信号を制御部５０に対して出力しなくなる。ＲＯＭ５３は記憶されている制御プログラムに、連続してどれだけの時間紙詰まりの信号が来ているかを確認するし、その設定時間内に紙詰まりの信号が途絶えた場合は紙詰まりが解除したとして再び画像形成装置１の稼動を許可するようにしてあり、近くに修理担当者がいなくとも画像形成装置１は使用復帰出来ることとなる。
【００４６】
以上述べたように、本実施形態の画像形成装置１は、記録媒体２の用紙搬送路７に配置される第１の搬送ガイド５と、用紙搬送路７を挟み第１の搬送ガイド５と対向して配置される第２の搬送ガイド６と、記録媒体２を搬送する用紙搬送路７と、記録媒体２に画像形成する印字機構１９と、第１の記録搬送ガイド５に、記録媒体搬送方向に対して垂直方向に設けられる凹部１５と凹部１５の内部に設けられ、凹部１５に入り込んだ記録媒体２を検知するセンサ１６と、前記凹部１５内と用紙搬送路７内とを進出退避する可動片１８と、備える。
【００４７】
従って装置の大きさを大きくすることなく、また薄い記録媒体でも紙詰まりが起こりにくいという効果がある。また紙詰まりが連続して発生している時間を計測する紙詰まり継続時間計測部を有し、予め定めた時間内に紙詰まりが解消した場合は引き続き画像形成装置は稼動可能としたため、排出口等に存在していた障害物が取り除かれた場合紙詰まりエラーを係の者等が解消することなく画像形成装置が再び稼動可能となる。
【００４８】
（第２の実施形態）
図１２は、本実施の形態に係る紙詰まり検出装置を含む画像形成装置１の他の実施の形態における媒体と可動片の位置を示した上面図である。
【００４９】
画像形成装置１を使用する際、複数種の媒体幅の記録媒体２を使用する場合、可動片１８は幅の広い記録媒体２−２と幅の狭い記録媒体２−３の内、幅の狭い２−３の記録媒体幅方向端部Ｗ１より記録媒体幅方向中心Ｃ側に可動片１８を設けた。ここでは幅の広い記録媒体２−２と幅の狭い記録媒体２−３の２種にて説明をしたが、３種以上の場合は、複数種の記録媒体の最小幅の記録媒体幅方向端部より記録媒体幅方向中心側に設ければ良い。また記録媒体幅方向中心側Ｃより図１２中左側に可動片１８を設ける場合は記録媒体幅方向端部Ｗ２より記録媒体幅方向中心Ｃ側に可動片１８を設ければよい。
【００５０】
これによりいかなる幅の記録媒体を使用した場合でも記録媒体２は可動片１８に接触することとなり、凹部に直接記録媒体２が入り込むことによる搬送への悪影響等を防ぐことが出来る。
【００５１】
本発明のいくつかの実施形態を説明したが、上記の実施の形態例として提示したものであり、発明の範囲を限定することは意図していない。これら新規な実施形態は、その他の様々な形態で実施されることが可能であり、発明の要旨を逸脱しない範囲で、種々の省略、置き換え、修正を行うことができる。これら実施形態やその変形は、発明の範囲や要旨に含まれるとともに、特許請求の範囲に記載された発明とその均等の範囲に含まれる。
【符号の説明】
【００５２】
１・・画像形成装置
２・・記録媒体
５・・第１の搬送ガイド
６・・第２の搬送ガイド
７・・用紙搬送路
８・・サーマル印字ヘッド
９・・プラテンローラ
１０・・カッタ
１１・・搬送ローラ
１２・・アイドラローラ
１５・・凹部
１６・・センサ
１８・・可動片
５０・・制御部
【図１】
2014024637.tif 000003
【図２】
2014024637.tif 000004
【図３】
2014024637.tif 000005
【図４】
2014024637.tif 000006
【図５】
2014024637.tif 000007
【図６】
2014024637.tif 000008
【図７】
2014024637.tif 000009
【図８】
2014024637.tif 000010
【図９】
2014024637.tif 000011
【図１０】
2014024637.tif 000012
【図１１】
2014024637.tif 000013
【図１２】
2014024637.tif 000014